(57)【要約】【課題】  競技者個々の状況や目標に応じ、複数の専門的見地に基いた助言情報を提供し、効率よく運動能力を向上できる運動能力向上システムを提供する。【解決手段】  競技者及び専門家のユーザ端末群とサーバ装置とを接続し、運動能力向上システムを構成する。サーバ装置には、データベースが備えられ、運動能力に関連する個人情報と各分野の専門家から提供される助言情報を管理し、相互に情報交換を可能とする。【選択図】  図１
2005122628.tif 000002
【特許請求の範囲】
【請求項１】
ネットワークを介して、助言者及び被助言者の区分を含む利用者の属性情報が与えられたユーザ端末群と接続する、サーバ装置を含む運動能力向上システムであって、
前記サーバ装置は、
少なくとも競技種目情報と現在の運動能力情報を含む各被助言者の個人情報と、助言者側の端末から送信される助言情報とを関連付けて記憶保持する手段と、
アクセスする前記ユーザ端末に対して、前記属性情報の送信を要求するとともに、該ユーザ端末から受信した属性情報に応じて、任意の個人情報と、前記個人情報に関連付けられた助言情報との送信制御を行う手段と、を備えること、
を特徴とする運動能力向上システム。
【請求項２】
請求項１に記載の運動能力向上システムにおいて、
前記サーバ装置は、更に、
予め定める属性情報を有するユーザ端末から、前記属性情報を伴った前記個人情報の更新情報を受信し、前記個人情報を更新する手段を、含むこと、
を特徴とする運動能力向上システム。
【請求項３】
請求項１又は２に記載の運動能力向上システムにおいて、
前記個人情報は、被助言者の身体に関する履歴情報を、含み、
前記助言情報は、前記履歴情報に応じた助言情報を、含むこと、
を特徴とする運動能力向上システム。
【請求項４】
請求項１乃至３いずれか一に記載の運動能力向上システムにおいて、
前記個人情報は、被助言者が摂取した飲食物に関する情報を、含み、
前記助言情報は、食事に関する助言情報を、含むこと、
を特徴とする運動能力向上システム。
【請求項５】
請求項１乃至４いずれか一に記載の運動能力向上システムにおいて、
前記個人情報は、被助言者の参加する競技の日程情報を、含み、
前記助言情報は、前記日程情報を参照して作成される、献立プラン情報を含むこと、
を特徴とする運動能力向上システム。
【請求項６】
請求項１乃至５いずれか一に記載の運動能力向上システムにおいて、
前記個人情報は、被助言者の参加する競技の日程情報を、含み、
前記助言情報は、前記日程情報を参照して作成される、トレーニングプラン情報を含むこと、
を特徴とする運動能力向上システム。
【請求項７】
請求項１乃至６いずれか一に記載の運動能力向上システムにおいて、
前記助言情報は、前記個人情報及び助言情報に応じた、商品の宣伝情報を、含むこと、
を特徴とする運動能力向上システム。
【請求項８】
前記運動能力向上システムに対して、個人情報を送信する手段と、
送信した前記個人情報に対応する個人に対する助言情報を閲覧可能な前記属性情報をもって、請求項１乃至７いずれか一に記載の運動能力向上システムにアクセスする手段と、を備えたこと、
を特徴とするユーザ端末装置。
【発明の詳細な説明】
【技術分野】
【０００１】
本発明は、トレーナー（スポーツの指導・訓練者等）に代わって、助言・指導情報を提供する運動能力向上システムに関する。
【背景技術】
【０００２】
いわゆる名コーチや名監督が一貫してその管理下にある選手等の指導・助言を行う徒弟型のトレーニング（訓練・練習・鍛錬）が数々の名選手を生み出してきたが、今日のスポーツ科学の見地からは、複数の専門家からそれぞれ適切な助言・指導者（トレーナー）からの指導・助言を得て、これらをバランスよく無理なく実行することが、効率的なスポーツ技術の向上のために好ましいとされている。しかしながら、技術向上の対象となるスポーツ種目はもちろんとして、各個人が向上を望む運動能力項目、最適な管理を望む自己管理項目や、各個人の身体的な個性等が、それぞれ異なっているため、各個人の目標に応じたそれぞれ適切かつ複数の助言者を得ることは、難しいのが実情である。例えば、適切な助言・指導を受けられなかったがため、或いは、一の専門分野から知見に強く依存しすぎたがために、誤ったトレーニングを行い、怪我をするケースや、適切でない自己管理を行い、体調を崩すケースも少なくない。
【０００３】
一方、スポーツジム等の場において、基礎体力・運動能力・食生活・故障歴等の情報を測定・蓄積し、各個人に提供することが行われているが、これらの情報も、スポーツジムのインストラクター、アドバイザー等の助言担当者と個人ユーザとの間でトレーニングの成果確認と目標設定の目的でのみ活用されるに止まっているのが実情である。また例えば、ネットワーク技術を利用するものとして、特開２００２−３４６０１２号公報には、遠隔地にあるトレーニー（競技者）に対してトレーニングのアドバイスを行うトレーナーサポートシステムが紹介されているが、画像情報を利用して特定のトレーナーからのフォーム等に関するアドバイスがインターネットを介して得られるに止まっている。
【０００４】
【特許文献１】特開２００２−３４６０１２号公報
【発明の開示】
【発明が解決しようとする課題】
【０００５】
本発明は、上記した事情に鑑みてなされたものであって、その目的とするところは、競技者個人の個性や目標に応じた複数の専門的見地からなされる助言情報を提供する運動能力向上システムを提供することにある。
【課題を解決するための手段】
【０００６】
前記課題を解決するための手段を提供する本発明の第１の視点によれば、ネットワークを介して、競技者に対して、各専門家からの助言を提供する運動能力向上システムが提供される。前記運動能力向上システムは、被助言者（競技者）及び助言者となる専門家のユーザ端末群とサーバ装置とからなり、各ユーザ端末には、少なくとも助言者及び被助言者の区分を含む利用者の属性情報が与えられている。そして、前記サーバ装置は、少なくとも競技種目情報と現在の運動能力情報を含む各被助言者の個人情報と、前記属性情報によって判別する助言者側の端末から送信される助言情報とを関連付けて記憶保持する手段と、アクセスする前記ユーザ端末に対して、前記属性情報の送信を要求するとともに、該ユーザ端末から受信した属性情報に応じて、任意の個人情報と、前記個人情報に関連付けられた助言情報との送信制御を行う手段と、を備えている。
【０００７】
各分野の専門家は、それぞれそのユーザ端末を操作して、ネットワークを介して、前記サーバ装置にアクセスし、各競技者の個人情報を閲覧し、前記サーバ装置に、各競技者個別の助言情報を送信・登録する。競技者等は、そのユーザ端末を操作して、ネットワークを介して、前記サーバ装置にアクセスし、前記専門家がなした助言情報を閲覧する。
【発明の効果】
【０００８】
以上のとおり、本発明によれば、各競技者は、その分野の専門家の対面指導を受けることができない場合であっても、その技術力の向上のための適切な助言を受けることが可能となる。この結果、競技者は、専門的かつ総合的なトレーニングを通じて効率的な能力向上を図ること、誤ったトレーニング方法による怪我や事故を未然に防ぐこと、総合的な自己管理能力を習得することが可能となる。また、専門家側にとっては、多数の競技者の指導を効率的に行うことが可能となる。
【発明を実施するための最良の形態】
【０００９】
続いて、発明を実施するための最良の形態について説明する。本発明は、その好ましい最良の形態において、運動能力向上システムのサーバ装置は、更に、属性情報によって識別され得るスポーツ競技者、スポーツジムのインストラクター等の操作するユーザ端末から、個人情報の更新情報（直近の基礎体力測定値、運動能力測定値等）を受信して、個人情報を更新する手段を、備えている。
【００１０】
また、スポーツ競技者に対する、よりきめ細やかな助言を提供する見地からすれば、上記した個人情報は、スポーツ競技者の身体に関する履歴情報（けがの履歴、既往症等）、摂取した飲食物に関する情報、を含むものとし、これらに応じた、特定の筋力増強、練習時の注意点等といった怪我・既往症等の再発防止策や、試合前の食事メニュー、水分補給といった食事に関する助言を提供することが可能となる。
【００１１】
また、同様に、上記した個人情報は、例えば、試合・大会の日程、練習の日程等のスポーツ競技者の参加する競技の日程情報を含むものとし、これらに応じた、献立プラン、トレーニングプランを作成する助言情報の提供サービスを行うことが可能となる。
【００１２】
更には、上記した個人情報及び助言情報を、上記した属性情報によって特定される他の助言者側にも参照可能とする等の所望の送信制御を行うことによって、上記した助言情報に、スポーツ用具や機能性食品等のスポーツに関連する商品の宣伝情報を含めること、同一の専門領域の助言者の２次的見解・助言を提供させること、異なる専門領域の助言者からの異なる視点による助言も提供させることが可能となる。
【実施例】
【００１３】
続いて、本発明の一実施例について図面を参照して詳細に説明する。図１は、運動能力向上システムのシステム構成を表した図である。図１を参照すると、本実施例の運動能力向上システムは、属性情報が与えられたユーザ端末群１０ａ、１０ｂ、１１ａ、１１ｂと、サーバ装置２０とを、インターネット５０を介して、接続して構成されている。
【００１４】
ユーザ端末１０ａは、被助言者（競技者）の自宅等に設置されたパーソナルコンピュータ、或いは、携帯型端末等であり、ユーザ端末１０ｂは、スポーツジムに設置された会員管理用のパーソナルコンピュータ等である。ここで、競技者とは、運動能力の向上を目指すスポーツ競技者一般のことをいうものとし、プロ選手はもちろんとして、実業団・学校・地域のクラブチーム等に属する競技者もこれに該当するほか、体力・健康の強化・維持を目的としてスポーツを嗜む者も含むものとする。また、スポーツジムは、地方自治体が運営するトレーニング施設または私営のスポーツクラブ・フィットネスクラブ等のことをいうものとする。
【００１５】
また、ユーザ端末１１ａ、１１ｂは、それぞれスポーツジム、専門家Ａ（医療専門家）、専門家Ｂ（メーカー）の職場等に設置されたパーソナルコンピュータ等である。本実施例では、専門家Ａ（医療専門家）は、整形外科医・医学療法士・スポーツ医学に詳しい医師またはスポーツトレーナー等、専門家Ｂ（メーカー）は、スポーツ用品メーカーの他、スポーツ用品店等の担当者であるものとして説明する。
【００１６】
サーバ装置２０は、少なくとも競技種目情報と現在の運動能力情報を含む各被助言者の個人情報と、前記属性情報によって示される被助言者の端末から送信される助言情報とを関連付けて記憶保持するデータベース２１を備え、前記ユーザ端末から送信される属性情報に応じて、ユーザ端末１０に対して、データベース２１に格納された各情報を送信する。
【００１７】
続いて、本実施例における個人情報の登録処理の動作について、図２を参照して、詳細に説明する。まず、スポーツジムの会員管理担当者は、ユーザ端末１０ｂを操作して、サーバ装置２０にアクセスして、トレーニングのために来訪した被助言者（競技者）の個人情報（目的とする運動能力及びスポーツ種目・身長・体重・体脂肪率など）、基礎体力・運動能力（筋力・柔軟性・敏捷性・瞬発力・持久力）、トレーニングメニュー履歴、食生活（摂取食品・摂取カロリー・栄養バランス）、怪我歴等の情報をデータベース２１に登録する（ステップＳ１００、Ｓ１０１）。なお、以下説明の便宜のため、被助言者（競技者）の目的とする運動能力は、「競技技術の向上」であるものとして説明する。
【００１８】
また、被助言者（競技者）は、その所持するユーザ端末１０ａを操作して、サーバ装置２０にアクセスして、上記スポーツジムの会員管理担当者により登録された各情報を、更新・補完すべく、上記個人情報・食生活・怪我歴等の情報について、適宜、データベース２１の内容を更新する（ステップＳ１０２、Ｓ１０３）。また、上記各項目に加えて、大会・試合に合わせたコンディション作りの際に有用な情報となる競技日程等も、登録するものとしてもよい。
【００１９】
続いて、本実施例における助言情報の登録処理の動作について、図３を参照して、詳細に説明する。まず、専門家Ａ（医療専門家）は、その所持するユーザ端末１１ａを操作して、サーバ装置２０にアクセスして、データベース２１に登録された個人情報・基礎体力・運動能力・怪我歴・トレーニングメニュー履歴等の情報の送信を受けて、参照・分析する（ステップＳ２００、Ｓ２０１）。続いて、専門家Ａ（医療専門家）は、当該被助言者（競技者）の目的とする運動能力「競技技術の向上」やそのスポーツ種目毎に強化すべき個所・トレーニング計画・怪我再発防止のための注意事項の助言情報、例えば「脚力が低下ぎみです。」、「あなたは、腰を痛めたことがあるので、スクワットは避けて下さい。」との助言情報をデータベース２１に登録する（ステップＳ２０２、Ｓ２０３）。また例えば、専門家Ｂ（医療専門家）が、栄養士・栄養学に詳しい医師又はスポーツトレーナー等の専門家である場合には、適切な食事メニューが助言情報として登録される。さらに、データベース２１に被助言者（競技者）の競技日程等が登録されている場合には、大会・試合に合せたコンディション作りを支援すべく、競技日程までの適切なトレーニングメニューや食事メニューが助言情報として登録される。
【００２０】
また、専門家Ｂ（メーカー）は、その所持するユーザ端末１１ｂを操作して、サーバ装置２０にアクセスして、データベース２１に登録された個人情報・基礎体力・運動能力・怪我歴・トレーニングメニュー履歴等の情報の送信を受けて、参照・分析する（ステップＳ２０４、Ｓ２０５）。専門家Ａと同様に、専門家Ｂ（メーカー）も、当該被助言者（競技者）の目的とする運動能力「競技技術の向上」や現状の能力に見合った適切な用具・器具についての助言情報、例えば「脚力強化に適した用具を紹介します。」との助言情報をデータベース２１に登録する（ステップＳ２０６、Ｓ２０７）。
【００２１】
続いて、本実施例における助言情報の照会（提供）処理の動作について、図４を参照して、詳細に説明する。まず、スポーツジムの会員管理担当者は、そのユーザ端末１０ｂを操作して、サーバ装置２０にアクセスして、データベース２１に登録された、専門家Ａ（医療専門家）、専門家Ｂ（メーカー）からの各情報の送信を受けて、参照・分析する（ステップＳ３００、Ｓ３０１）。続いて、スポーツジムの会員管理担当者は、前記参照・分析した結果に基づいて、各被助言者（競技者）の目的に合せた専門的・統合的なトレーニングメニューを作成・出力し被助言者（競技者）に提供するとともに、サーバ装置２０に対して送信する（ステップＳ３０２、Ｓ３０３、Ｓ３０４）。被助言者（競技者）は、上述のとおり助言情報に基づいて作成されたトレーニングメニューに従い、トレーニングを行うことで、設定・登録した「競技技術の向上」なる目的が達せられる。
【００２２】
一方、被助言者（競技者）は、そのユーザ端末１０ａを操作して、サーバ装置２０にアクセスし、トレーニングジム側から登録されたトレーニングメニュー、その実行状況や、各種専門家からの助言情報の送信を受けて、閲覧する（ステップＳ３０５、Ｓ３０６）。被助言者（競技者）は、これら情報に基づいて、トレーニングを行なう（ステップＳ３０７）。また、被助言者（競技者）やトレーニングジムの会員管理担当者は、新たなる目的とする運動能力を登録し、また、トレーニングの結果を反映した個人情報の更新を行う（ステップＳ３０８、Ｓ３０９）。
【００２３】
以上説明した本発明の一実施例からも明らかな通り、被助言者（競技者）は、運動能力及び各種スポーツに関する技術力の向上のため、専門的かつ総合的なトレーニングのための助言を容易に受けることが可能となり、また、的確なアドバイスを受けられることで、効率的な能力向上を図ることか可能となる。その助言を受けられる分野は、助言情報を登録権限を有する専門家の数に応じて豊富化することが可能であり、例えば、医学・栄養・用具に関して統合的かつ適切な助言を容易に受けることが可能となる。この結果、誤ったトレーニング方法による怪我や事故を未然に防ぐことも可能となる。
【００２４】
また例えば、助言を行う専門家として、メンタルトレーニング方法・休養の取り方、視力（動体視力・深視力）・歯の噛み合せ、怪我からのリハビリ方法等の助言が可能な者を参加させることで、広範な情報分析を付加し、より総合的な運動能力向上を図ることも可能である。さらには、モーションキャプチャシステムを使用した３次元画像を個人情報又は助言情報として付加することで、これらにより動作に関する分析や助言を行うことも可能である。
【００２５】
また特定の専門家が、他の専門家が登録した助言情報を閲覧可能とするアクセス制御を加えることで、以下に例示する顕著な効果を得ることが可能である。例えば、第１の専門家が「肩関節の柔軟性が低下ぎみです。」との助言を登録した場合、これを閲覧した第２の専門家をして「あなたは、肩を痛める可能性があるので、肩回りの筋力強化とストレッチを十分に行ってください。」との助言をなさしめ、さらに、これらを閲覧した第３の専門家をして、「肩回りの筋力(インナーマッスル)強化に適した用具を紹介します。」との助言をなさしめるように、被助言者（競技者）個々の身体状況に応じ、各専門家の知識を結集した適切な助言情報を提供することが可能である。
【００２６】
また同様に、例えば、第１の専門家が「持久力が低下しています。」との助言を登録した場合、これを閲覧した第２の専門家をして「練習量と休養のバランスが崩れて、疲労が蓄積しています。」との助言をなさしめ、さらに、これらを閲覧した第３、第４の専門家をして、「疲労回復によい栄養バランスのとれた食事メニューを紹介します。」、「疲労を蓄積しにくい機能性に優れたトレーニングウェアを紹介します。」との助言をなさしめることができる。
【００２７】
また、スポーツジム、専門家、スポーツ用品メーカーにとっては、付加価値のあるサービスを提供できるため、個人ユーザの獲得や定着化に有効である。さらには、助言された食事メニューに合せて、提携する食材・食品の宅配サービスへの加入を誘引すること、或いは、トレーニングメニューに応じた器具・用具の販売の申出を行うこと等も可能である。
【図面の簡単な説明】
【００２８】
【図１】本発明の一実施例のシステム構成を表わした図である。
【図２】本発明の一実施例における個人情報の登録処理の流れを表わす図である。
【図３】本発明の一実施例におけるアドバイス情報の登録処理の流れを表わす図である。
【図４】本発明の一実施例におけるアドバイス情報の照会処理の流れを表わす図である。
【符号の説明】
【００２９】
１０ａ、１０ｂ、１１ａ、１１ｂ  ユーザ端末
２０  サーバ装置
２１  データベース
５０  インターネット
【図１】
2005122628.tif 000003
【図２】
2005122628.tif 000004
【図３】
2005122628.tif 000005
【図４】
2005122628.tif 000006